(57)【特許請求の範囲】
【請求項１】
シェアードチャネルを用いて移動局装置にデータを送信する基地局装置であって、
複数の移動局装置から、レート要求値と、各移動局装置において受信したデータの誤り検出結果とを受信する受信部と、
前記レート要求値のうち、最も大きいレート要求値の移動局装置を選択する選択部と、
選択された移動局装置におけるデータの誤り率を、前記誤り検出結果に基づいて算出する測定部と、
選択された移動局装置に対して、算出された前記誤り率に基づいて、前記レート要求値の変更を指示するレート変更要求部と、
を具備することを特徴とする基地局装置。
【請求項２】
前記誤り率が閾値以上の場合、前記レート要求値を下げる指示を行うことを特徴とする請求項１記載の基地局装置。
【請求項３】
前記誤り率がほぼ零の場合、前記レート要求値を上げる指示を行うことを特徴とする請求項１記載の基地局装置。
【請求項４】
シェアードチャネルを用いてデータを送受信する基地局装置及び移動局装置からなる移動体通信システムであって、
基地局装置に、レート要求値と、受信したデータの誤り検出結果とを送信する送信部と、
前記基地局装置から、前記レート要求値の変更指示を受信する受信部と、
を具備する移動局装置と、
複数の移動局装置から、前記レート要求値と、前記誤り検出結果とを受信する受信部と、
前記レート要求値のうち、最も大きいレート要求値の移動局装置を選択する選択部と、 選択された移動局装置におけるデータの誤り率を、前記誤り検出結果に基づいて算出する測定部と、
選択された移動局装置に対して、算出された前記誤り率に基づいて、前記レート要求値の変更を指示するレート変更要求部と、
を具備する基地局装置と、
からなる移動体通信システム。
【請求項５】
シェアードチャネルを用いて、データを送受信する通信方法であって、
第１無線装置において、レート要求値と、受信したデータの誤り検出結果とを送信し、
第２無線装置において、複数の前記第１無線装置から、前記レート要求値と、前記誤り検出結果とを受信し、前記レート要求値のうち、最も大きいレート要求値の第１無線装置を選択し、選択された第１無線装置におけるデータの誤り率を、前記誤り検出結果に基づいて算出し、選択された第１無線装置に対して、算出された前記誤り率に基づいて、前記レート要求値の変更を指示し、
前記第１無線装置において、前記レート要求値の変更指示を受信する、
ことを特徴とする通信方法。
【発明の詳細な説明】
【０００１】
【発明の属する技術分野】
本発明は、移動体通信システムにおける基地局装置及び、この基地局装置と無線通信を行う携帯電話機及び携帯電話機能やコンピュータ機能などを備えた情報通信端末機等の移動局装置と、通信方法に関し、特にＣＤＭＡ（Ｃｏｄｅ  Ｄｉｖｉｓｉｏｎ  Ｍｕｌｔｉｐｌｅ  Ａｃｃｅｓｓ）２０００方式に適用される通常の使用周波数と別の周波数を使用するＨＤＲにおいてシェアードチャネル（後述で説明）を用いた基地局装置及び移動局装置と通信方法に関する。
【０００２】
【従来の技術】
シェアードチャネルとは、データ伝送レート（以下レートという）が適時変更可能な同一周波数を複数の移動局装置が使用し、基地局装置により選択された１つの移動局装置のみがその周波数で通信を行うためのものである。
【０００３】
即ち、シェアードチャネルを用いた従来の移動体通信システムにおいては、まず、複数の移動局装置が基地局装置から送信されたパイロットバースト信号（下り既知シンボル）を受信する。
【０００４】
次に、各移動局装置は、その受信パイロットバースト信号からＣ／Ｉ（Ｃａｒｒｉｅｒ  Ｉｎｔｅｒｆｅｒｅｎｃｅ：キャリア信号電力／干渉信号電力）を測定する。次に、Ｃ／Ｉ測定結果に応じて、基地局装置から移動局装置へ向かう下り回線に割り当て可能な最高レートを決定する。
【０００５】
この決定されたレートの要求値を基地局装置へ送信する。レート要求値の送信は、通信エリア内の全ての移動局装置から同一タイミングで実行される。
【０００６】
各レート要求値を受信した基地局装置は、最も高いレートを要求した送信相手の移動局装置を選択し、この選択移動局装置から受信したレート要求値のレートでデータを送信する。
【０００７】
この種のシェアードチャネルを用いた移動体通信システムとして、文献１（３ＧＰＰ２  ＴＳＧ−Ｃ  Ｃ００＿１Ｘ＿ＨＤＲ＿２００００３２８−００５  Ｐｈｙｓｉｃａｌ  Ｌａｙｅｒ）及び文献２（“Ｈｉｇｈ  Ｓｐｅｅｄ  Ｄｏｗｎｌｉｎｋ  Ｐａｃｋｅｔ  Ａｃｃｅｓｓ”、ＴＳＧ−ＲＡＮ  Ｗｏｒｋｉｎｇ  Ｇｒｏｕｐ１  ｍｅｅｔｉｎｇ＃１３、ＴＳＧＲ１＃１３（００）７２７、Ｔｏｋｙｏ，Ｊａｐａｎ，２２ｎｄ−２５ｔｈ  Ｍａｙ  ２０００）がある。
【０００８】
【発明が解決しようとする課題】
しかしながら、従来の装置において、文献１では、送信データに、受信側（基地局装置）で受信の成功か失敗かを判定することが可能なＣＲＣ（ＣｙｃｌｉｃＲｅｄｕｎｄａｎｃｙ  Ｃｈｅｃｋ）データが付与されている。しかし、ＣＲＣのＯＫ／ＮＧ（正しい／誤り）を基地局装置に報告する方法は用意されていないので、移動局装置が誤ったレートを要求した場合に、その要求に応じてその移動局装置が割り当てられたとすると、レート要求値の誤りのため通信が失敗となるという問題がある。
【０００９】
文献２では、ＡＲＱ（Ａｕｔｏｍａｔｉｃ  Ｒｅｔｒａｎｓｍｉｓｓｉｏｎ  Ｒｅｑｕｅｓｔ）を導入しているために、下り回線の移動先移動局装置とレート決定が誤っていることを見抜くことができる。しかし、レート要求を移動局装置が決定し、基地局装置に報告することはできないという問題がある。
【００１０】
また、上記文献１及び２におけるレート判定の誤りは、スループットに対して悪影響を及ぼすことになる。
【００１１】
本発明はかかる点に鑑みてなされたものであり、シェアードチャネルを用いた通信を行う場合に、移動局装置からのデータ伝送レート要求の誤りを基地局装置で認識したのち正しいデータ伝送レートを移動局装置に指示することによって通信の失敗を無くすことができる基地局装置及び移動局装置と通信方法を提供することを目的とする。
【００１２】
【課題を解決するための手段】
本発明の第１の態様に係る基地局装置は、複数の移動局装置から受信したデータ伝送レート要求値に基づき移動局装置を選択し、この選択移動局装置への送信データに前記選択移動局装置への宛先情報を付与する手段と、移動局装置から受信した誤り検出結果より移動局装置へのデータ送信の誤り率を求め、この誤り率が閾値以上であれば前記データ伝送レート要求値が誤っていると判定する手段と、を具備する構成を採る。
【００１３】
この構成によれば、誤り率が閾値以上であれば、移動局装置からのデータ伝送レート要求値が高すぎるため、そのレート要求値のデータ伝送レートではデータが送信できないと認識することができる。
【００１４】
本発明の第２の態様に係る基地局装置は、上記構成において、誤り率が閾値以上の場合、データ伝送レート要求値を送信した移動局装置に前記データ伝送レート要求値を下げる変更指示を行う構成を採る。
【００１５】
この構成によれば、移動局装置に対して、データ送信が不可能となるデータ伝送レート要求値を、データ送信可能とする指示を行うことができる。
【００１６】
本発明の第３の態様に係る基地局装置は、誤り率がほぼ零の場合、データ伝送レート要求値を送信した移動局装置に前記データ伝送レート要求値を上げる変更指示を行う構成を採る。
【００１７】
この構成によれば、誤り率がほぼ零の場合は、移動局装置からのデータ伝送レート要求値が低すぎるので、より効率よくデータ送信を行うためのレート要求値に変更する指示を行うことができる。
【００１８】
本発明の第４の態様に係る移動局装置は、基地局装置からの受信信号の品質を測定する手段と、前記測定品質に応じたデータ伝送レート要求値を決定する手段と、前記決定されたデータ伝送レート要求値を基地局装置へ送信する手段と、基地局装置からのデータ伝送レート要求値の変更指示に応じて前記決定時にデータ伝送レート要求値を変更する手段と、を具備する構成を採る。
【００１９】
この構成によれば、自装置で決定する基地局装置へのデータ伝送レート要求値を、基地局装置からの指示に応じて変更することができる。
【００２０】
本発明の第５の態様に係る移動体通信システムは、基地局装置からの受信信号の品質を測定すると共に誤りを検出し、前記測定品質に応じてデータ伝送レート要求値を可変可能に決定し、この決定されたデータ伝送レート要求値と前記誤り検出結果とを送信する移動局装置と、移動局装置から受信した誤り検出結果より移動局装置へのデータ送信の誤り率を求め、この誤り率が閾値以上であれば前記データ伝送レート要求値が誤っていると判定し、この判定時に、移動局装置に対して前記決定時に前記データ伝送レート要求値を下げる変更指示を行う基地局装置と、を具備する構成を採る。
【００２１】
この構成によれば、基地局装置から移動局装置へのデータ送信時のデータ伝送レートを、送信が適正に行える値とすることができる。
【００２２】
本発明の第６の態様に係る通信方法は、第１無線装置において、受信信号の品質を測定すると共に誤りを検出し、前記測定品質に応じてデータ伝送レート要求値を決定し、この決定されたデータ伝送レート要求値と前記誤り検出結果とを送信し、第２無線装置において、受信した前記誤り検出結果より前記第１無線装置へのデータ送信の誤り率を求め、この誤り率が、前記第１無線装置へのデータ送信が適正に行える値となるように、前記第１無線装置に対する前記データ伝送レート要求値の変更指示を送信し、前記第１無線装置において、受信した前記変更指示に応じて前記データ伝送レート要求値を変更して送信するようにした。
【００２３】
この方法によれば、第２無線装置から第１無線装置へのデータ送信時のデータ伝送レートを、送信が適正に行える値とすることができる。
【００２４】
【発明の実施の形態】
以下、本発明の実施の形態について、図面を参照して詳細に説明する。
【００２５】
（実施の形態）
図１は、本発明の実施の形態に係る基地局装置及び移動局装置を備えた移動体通信システムの概略構成を示すブロック図である。
【００２６】
この図１に示す基地局装置１０１と複数の移動局装置１０２とは、ＣＤＭＡ２０００方式に適用されるＨＤＲにおいてシェアードチャネルを用いた無線通信を行うものである。
【００２７】
基地局装置１０１は、図２に示すように、送受信用のアンテナ２０１を有するＲＦ（Ｒａｄｉｏ  Ｆｒｅｑｕｅｎｃｙ）部２０２と、多重部２０３と、変調・拡散部２０４，２０５，２０６，２０７と、逆拡散・復調部２０８と、個別チャネルコーディング部２０９と、ＭＡＣ（Ｍｅｄｉｕｍ  Ａｃｃｅｓｓ  Ｃｏｎｔｒｏｌ）チャネル組立部２１０と、ＴＰＣ（Ｔｒａｎｓｍｉｔ  Ｐｏｗｅｒ  Ｃｏｎｔｒｏｌ）生成部２１１と、無線リソース管理部２１２と、下り回線誤り測定部２１３と、レート変更要求部２１４と、コントロールチャネル組立部２１５と、バッファ部２１６とを備えて構成されている。
【００２８】
移動局装置１０２は、図３に示すように、送受信用のアンテナ３０１を有するＲＦ部３０２と、逆拡散・復調部３０３と、ＣＲＣ部３０４と、分解部３０５と、Ｃ／Ｉ測定部３０６と、レート要求値決定部３０７と、レート要求決定条件変更部３０８と、多重部３０９と、変調・拡散部３１０とを備えて構成されている。
【００２９】
このような構成の動作を説明する。まず、基地局装置１０１の変調・拡散部２０４において、パイロットバースト信号でキャリア信号が変調されたのち拡散される。
【００３０】
この拡散後のパイロットバースト信号は、多重部２０３において、他の送信信号と多重され、ＲＦ部２０２でアップコンバート等の所定の送信処理が施されたのちアンテナ２０１から無線送信される。
【００３１】
この送信信号は、移動局装置１０２のアンテナ３０１で受信され、ＲＦ部３０２でダウンコンバート等の所定の受信処理が施されたのち逆拡散・復調部３０３へ出力される。
【００３２】
逆拡散・復調部３０３では、受信信号が逆拡散されたのち復調され、ＣＲＣ部３０４及びＣ／Ｉ測定部３０６へ出力される。Ｃ／Ｉ測定部３０６では、復調された受信信号中のパイロットバースト信号のＣ／Ｉの測定が行われる。このＣ／Ｉ測定値はレート要求値決定部３０７へ出力される。
【００３３】
レート要求値決定部３０７では、Ｃ／Ｉ測定値に対応する予め記憶されたデータ伝送レート（レート）が選択され、これが自装置１０２のレート要求値として多重部３０９へ出力される。
【００３４】
多重部３０９では、レート要求値と自装置１０２の送信信号とが多重され、変調・拡散部３１０において、その多重信号でキャリア信号が変調されたのち拡散される。
【００３５】
この拡散後の送信信号は、ＲＦ部３０２で所定の送信処理が施されたのちアンテナ３０１から無線送信される。
【００３６】
この送信信号は、基地局装置１０１のアンテナ２０１で受信され、ＲＦ部２０２で所定の受信処理が施されたのち逆拡散・復調部２０８へ出力される。
【００３７】
逆拡散・復調部２０８では、受信信号が逆拡散されたのち復調され、ＴＰＣ生成部２１１及び無線リソース管理部２１２へ出力される。
【００３８】
ＴＰＣ生成部２１１では、復調された信号に含まれる送信電力制御用のパイロットシンボル信号に応じて、移動局装置１０２の送信電力制御を行うためのＴＰＣ信号が生成され、このＴＰＣ信号がＭＡＣチャネル組立部２１０においてＭＡＣチャネルに組み立てられた後、多重部２０３へ出力される。
【００３９】
無線リソース管理部２１２は、復調された信号中の全ての移動局装置１０２からのレート要求値の内、最も大きいレート要求値の移動局装置１０２が選択され、この選択結果がバッファ部２１６、個別チャネルコーディング部２０９及び変調・拡散部２０５へ出力される。
【００４０】
その選択方法は、全移動局装置１０２に対して通信が可能なように低いデータ伝送レート要求をした移動局装置１０２を選ぶ場合もある。
【００４１】
バッファ部２１６では、その選択された移動局装置１０２への送信データが読み出され、この読み出された送信データに、個別チャネルコーディング部２０９において、その移動局装置１０２への宛先情報が付与される。そして、宛先情報が付与されたデータが、変調・拡散部２０５において変調されたのち拡散され、多重部２０３へ出力される。これら多重部２０３へ出力された各信号は、多重されたのちＲＦ部２０２から送信される。
【００４２】
この送信信号を受信した移動局装置１０２は、自装置１０２の宛先情報を受信した場合に、後続の基地局装置１０１からの送信データを受信する。この後、ＣＲＣ部３０４において、その受信信号のＣＲＣチェックが行われる。このＣＲＣ検出結果がＯＫであれば、その受信信号が分解部３０５を介して図示せぬ後段処理回路へ出力される。ＣＲＣ検出結果がＮＧの場合、受信信号は分解部３０５へは出力されない。
【００４３】
また、ＣＲＣ検出結果がＮＧであれば、このＣＲＣ検出結果のＮＧが、多重部３０９以降の回路を介して基地局装置１０１へ送信される。但し、ＯＫも基地局装置１０１へ送信される。
【００４４】
このＣＲＣ検出結果のＯＫ又はＮＧが基地局装置１０１で受信されると、下り回線誤り測定部２１３に入力される。下り回線誤り測定部２１３では、そのＣＲＣ検出結果から移動局装置１０２へのデータ送信の誤り率が推定され、この誤り率がレート変更要求部２１４へ出力される。
【００４５】
誤り率の推定は、移動局装置１０２毎、かつ割り当てたデータレート毎にＣＲＣのＮＧの回数を計数する。同様に、割り当てた回数を計数し、ＮＧの回数を割り当てた回数で除算した結果を誤り率推定とする。
【００４６】
レート変更要求部２１４では、誤り率が予め定められた閾値以上の場合、移動局装置１０２からのレート要求値が高すぎるため、そのレート要求値がデータ送信に使用されるデータ伝送レートに対して悪すぎると判定され、この場合、移動局装置１０２へレート要求値を下げる指示信号（レート変更指示信号）が生成される。
【００４７】
また、誤り率がほぼ零の場合は、移動局装置１０２からのレート要求値が低すぎるため、そのレート要求値がデータ送信に使用されるデータ伝送レートに対して良すぎると判定され、この場合、移動局装置１０２へレート要求値を上げるレート変更指示信号が生成される。
【００４８】
これら生成されたレート変更指示信号は、コントロールチャネル組立部２１５へ出力され、ここで、コントロールチャネルに組み立てられ、変調・拡散部２０７で変調されたのち拡散され、多重部２０３を介してＲＦ部２０２から送信される。
【００４９】
この送信信号を受信した移動局装置１０２では、ＣＲＣ部３０４でのＣＲＣ検出結果ＯＫ後、受信信号が分解部３０５へ出力され、ここで、レート変更指示信号が分解されて、レート要求決定条件変更部３０８へ出力される。
【００５０】
レート要求決定条件変更部３０８では、レート変更指示信号に従って、レート要求値決定部３０７に対するレート要求値の変更が指示される。レート要求値決定部３０７では、その指示に応じたレート要求値に変更される。
【００５１】
即ち、レート要求値を下げる指示で有れば、データが送信可能なレート要求値に下げられ、上げる指示であれば、データが送信可能なレート要求値に上げられ、この変更後のレート要求値が、多重部３０９以降の回路を介して基地局装置１０１へ送信される。
【００５２】
このように、実施の形態１の基地局装置１０１及び移動局装置１０２によれば、ようにした。移動局装置１０２において、基地局装置１０１からの受信信号の品質を測定すると共に誤りを検出し、測定品質に応じてデータ伝送レート要求値を可変可能に決定し、この決定されたデータ伝送レート要求値と誤り検出結果とを送信し、基地局装置１０１において、移動局装置から受信した誤り検出結果より移動局装置へのデータ送信の誤り率を求め、この誤り率が閾値以上であればデータ伝送レート要求値が誤っていると判定し、この判定時に、移動局装置１０２に対して、上記の決定時にデータ伝送レート要求値を下げる変更指示を行う。
【００５３】
これによって、基地局装置から移動局装置へのデータ送信時のデータ伝送レートを、送信が適正に行える値とすることができるので、適正なデータ送信を行うことができる。
【００５４】
【発明の効果】
以上説明したように、本発明によれば、シェアードチャネルを用いた通信を行う場合に、移動局装置からのデータ伝送レート要求の誤りを基地局装置で認識したのち正しいデータ伝送レートを移動局装置に指示することによって通信の失敗を無くすことができる。
【図面の簡単な説明】
【図１】本発明の実施の形態に係る基地局装置及び移動局装置を備えた移動体通信システムの概略構成を示すブロック図
【図２】上記実施の形態に係る基地局装置の構成を示すブロック図
【図３】上記実施の形態に係る移動局装置の構成を示すブロック図
【符号の説明】
１０１  基地局装置
１０２  移動局装置
２０１，３０１  アンテナ
２０２，３０２  ＲＦ部
２０３，３０９  多重部
２０４，２０５，２０６，２０７，３１０  変調・拡散部
２０８，３０３  逆拡散・復調部
２０９  個別チャネルコーディング部
２１０  ＭＡＣチャネル組立部
２１１  ＴＰＣ生成部
２１２  無線リソース管理部
２１３  下り回線誤り測定部
２１４  レート変更要求部
２１５  コントロールチャネル組立部
２１６  バッファ部
３０４  ＣＲＣ部
３０５  分解部
３０６  Ｃ／Ｉ測定部
３０７  レート要求値決定部
３０８  レート要求決定条件変更部
【図１】
0004499885.tif 000002
【図２】
0004499885.tif 000003
【図３】
0004499885.tif 000004